【事件の表示】
　特許第２７８２１７４号「カード状情報記憶媒体」の請求項１ないし３に係る特許に対する特許異議の申立てについて、次のとおり決定する。
【結　論】
　訂正を認める。
　特許第２７８２１７４号の請求項１に係る特許を維持する。
【理　由】
（１）手続きの経緯
  本件特許第２７８２１７４号発明は、昭和６３年９月２１日に出願した特願昭６３−２３４８５６号の一部を新たな特許出願としたものであって、平成１０年５月２２日にその特許の設定登録がなされ、その後、日本信号株式会社より特許異議の申立てがなされ、取消理由通知がなされ、その指定期間である平成１１年９月３０日に訂正請求がなされたものである。
（２）訂正の適否の判断
１．訂正の内容
　特許権者が求めている訂正の内容は、以下のａ〜ｆのとおりである。
ａ．特許請求の範囲の請求項１の「上記記憶情報表示手段は、透明部材からなる第１の封入壁体と該第１の封入壁体と対向する第２の封入壁体の間に形成した封入領域内に、粒子状の磁性体と粒子状の非磁性体とを各々所定量混入させると共に」を、「上記記憶情報表示手段は、透明部材からなる第１の封入壁体と該第１の封入壁体と対向する第２の封入壁体の間に形成した複数の小室からなる微少封入領域内に、粒子状の磁性体と粒子状の非磁性体とを各々所定量混入させると共に高粘度液体を満たし、」と訂正する。
ｂ．特許請求の範囲の請求項１の「両封入壁体には粒子状の磁性体を吸着する吸着部材を混入させて、封入壁体の外部から磁力を作用させることにより、封入されている粒子状の磁性体を第１の封入壁体内面もしくは第２の封入壁体内面へ吸引し、」を、「両封入壁体には粒子状の磁性体を吸着する吸着部材を混入させて、封入壁体の外部から磁力を作用させることにより、非磁性体が分散している高粘度液体中の粒子状の磁性体を第１の封入壁体内面もしくは第２の封入壁体内面へ吸引し、」と訂正する。
ｃ．特許請求の範囲の請求項２、３を削除する。
ｄ．明細書の段落番号【００１０】の記載を次のように訂正する。
「本発明は上記に鑑み提案されたもので、所定情報を記憶可能とすると共に、該記憶している情報を視認可能に表示する記憶情報表示手段を備えたカード状情報記憶媒体（例えばカード２４）において、上記記憶情報表示手段（例えば残高表示部２６）は、透明部材からなる第１の封入壁体（例えば樹脂膜３３）と該第１の封入壁体と対向する第２の封入壁体（例えば樹脂膜３３’）の間に形成した複数の小室（例えば、ハニカム状の格子２７・・・）からなる微少封入領域内に、粒子状の磁性体（例えば黒色の磁性体３２）と粒子状の非磁性体（例えば白色の酸化チタン３１）とを各々所定量混入させると共に高粘度液体（例えば、シリコーン油等の高粘度液体３０）を満たし、該磁性体と非磁性体とは色により各々識別可能に構成すると共に、両封入壁体には粒子状の磁性体を吸着する吸着部材（例えば微細な鉄粉３４）を混入させて、封入壁体の外部から磁力を作用させることにより、非磁性体が分散している高粘度液体中の粒子状の磁性体を第１の封入壁体内面もしくは第２の封入壁体内面へ吸引し、上記第１の封入壁体内部もしくは第２の封入壁体内部の吸着部材へ粒子状の磁性体を吸着保持させることにより、第１の封入壁体側から視認される粒子状の磁性体と粒子状の非磁性体により記憶情報を視認可能に表示するものとしたことを特徴とする。」
ｅ．明細書の段落番号【００１２】の記載を削除する。
２．訂正の目的の適否、新規事項の有無及び拡張・変更の存否
　訂正ａの「複数の小室からなる微少封入領域」、「高粘度液体を満たし」は、訂正前の請求項２及び３の構成要件を請求項１に組み入れ、封入領域及びその内容物を限定するものであり、特許請求の範囲の減縮に相当する。
　訂正ｂの「非磁性体が分散している高粘度液体中の」は、上記訂正ａを受けて粒子状の磁性体が非磁性体と共に高粘度液体中に分散していることを明確にして限定したものであって、特許請求の範囲の減縮に相当する。
　訂正ｃは、請求項２、３を削除するものであるので、特許請求の範囲の減縮に相当する。
　訂正ｄ、ｅは、特許請求の範囲の上記訂正ａ〜ｃに対応させるために発明の詳細な説明の欄を訂正するものであるので、明りょうでない記載の釈明に相当する。
　そして、上記訂正は新規事項の追加に該当せず、実質的に特許請求の範囲を拡張又は変更するものではない。
３．独立特許要件
　訂正明細書の特許請求の範囲の請求項１に係る発明（以下、「訂正発明」という。）は、下記に記載されるとおりのものである。
「所定情報を記憶可能とすると共に、該記憶している情報を視認可能に表示する記憶情報表示手段を備えたカード状情報記憶媒体において、上記記憶情報表示手段は、透明部材からなる第１の封入壁体と該第１の封入壁体と対向する第２の封入壁体の間に形成した複数の小室からなる微少封入領域内に、粒子状の磁性体と粒子状の非磁性体とを各々所定量混入させると共に高粘度液体を満たし、該磁性体と非磁性体とは色により各々識別可能に構成すると共に、両封入壁体には粒子状の磁性体を吸着する吸着部材を混入させて、封入壁体の外部から磁力を作用させることにより、非磁性体が分散している高粘度液体中の粒子状の磁性体を第１の封入壁体内面もしくは第２の封入壁体内面へ吸引し、上記第１の封入壁体内部もしくは第２の封入壁体内部の吸着部材へ粒子状の磁性体を吸着保持させることにより、第１の封入壁体側から視認される粒子状の磁性体と粒子状の非磁性体により記憶情報を視認可能に表示するものとしたことを特徴とするカード状情報記憶媒体。」
（引用刊行物）
　当審が通知した取消理由で引用した刊行物１（特公昭５６−８５２号公報）には、
「１　磁気カードにコード化して磁気記録される磁気情報の全部もしくはその一部を文字化もしくは数字化してその磁気カードに磁気記録するとともに、その磁気カードに封入された磁性粉をその文字もしくは数字の磁力を受けて吸引させ、その磁性粉の吸引された状態を磁気カードの外部から透視しうるようにしたことを特徴とする磁気カードの磁性情報を直接目視可能に表示する方法。
２　磁性体を有するプラスチックフィルムの上面に切欠空所を有する基材を接合し、前記切欠空所に磁性粉を入れたのち、前記基材の上面に透明プラスチックフィルムを接合して、磁性粉を切欠空所に遊動自在に密封してなる磁気カード。」（特許請求の範囲、第２、３図）
　が記載されている。
　同じく引用された刊行物２（特開昭６１−２７３７８６号公報には、
「磁気記録層と光反射性ベースシートからなる磁気記録シートと少なくとも表示部が透明な表示シートとを対向してこの二枚のシート間に表示セルを形成し、この表示セルに磁性粒子と透明ないし白色の微粉末流動化剤との混合物を封入してなる可視磁気カード。」（特許請求の範囲、第１図）
「本発明に用いる磁性粒子は、磁界中で強い磁性を示す高透磁率のものが良く、鉄、ニッケル、ステンレススチール、パーマロイなどの金属ないし合金系磁性材料・・・磁性粒子は表面着色ないし表面処理して、それ自体の色とは異なる色に仕上げて使用することができる。・・・次に本発明に用いる微粉末流動化剤は、無水ケイ酸、ケイ酸塩、酸化アルミニウム、酸化マグネシウム、炭酸カルシウム、塩基性炭酸マグネシウム、酸化チタンの微粉末・・・を含み」（第３ページ右下欄５行〜第４ページ左上欄６行）
　が記載されている。
　同じく引用された刊行物３（特開昭６１−２３３４２５号公報）には、
「（１）磁気シートと少なくとも表示部が透明な表示シートとを対向してこの二枚のシート間に表示セルを形成し、この表示セルに板状の光反射性磁性粒子を分散媒に分散した分散液を封入してなる可視磁気カード。
（２）分散媒の粘度が、３０センチポイズ以上である特許請求の範囲第１項記載の可視磁気カード。」（特許請求の範囲、第１図）
　が記載されている。
　同じく引用された刊行物４（特公昭６２−５３３５９号公報）には、
「第２図は透明な表面基板１と裏面基板２の間に本発明の分散液体３を入れ、周囲をセキ板または接着剤４で封じこんだ磁気表示用パネルである。第３図は基板とそれにおのおの独立したセル６を形作る隔壁を一体に有している多セル板５の各セル中に分散液体３を入れ、多セル板５に基板１を貼った磁気表示用パネルである。この場合基板１は表面板として使用しても底板として使用しても良い。第４図は個々の凹みを有する形状の基板５のそのセル６に分散液体３を入れ、基板５に基板１を貼った磁気表示用パネルである。第５図はおのおの独立したセルを有する貫通した多セル板６の各セル中に分散液体３を入れ、両面にそれぞれ表面板１と底板２を貼った磁気表示用パネルである。第６図は周辺に縁部７をもち、中央部に凹み８ａを形成した一方の基板８の、その凹みの中に多セル板６を装着し、その各セル中に分散液体３を入れて他方の面を基板１で被覆し、縁部７で基板１を接着または融着した磁気表示用パネルである。この場合基板１を表面板として使用しても底板として使用しても良い。第３図〜第６図に示した多セル構造６は第７図で示すハニカム系セル６ａや、第８図で示す断面が四角形のセル６ｂで形成してもよい。さらに第９図で示すように、複の波形板６ｃを横列させ、各波形板６ｃの頂部６ｄに固着してぼうすい形のセル６ｅで形成するようにしてもよい。またさらに第１０図で示す三角形のセル６ｆや、第１１図で示す円形のセル６ｇで形成するようにしてもよい。」（第４ページ第８欄１３〜末行）
　が記載されている。
　同じく引用された刊行物５（特開昭６０−１０１５８１号公報）には、
「向かい合わせておいた透明電極と分割電極との間に着色微粒子を着色分散媒中に分散した分散系を有するものにおいて、上記分割電極の外面に重合してプラスチック磁石極などの磁力発生層を介設し、また着色微粒子の予め樹脂中に磁性微粉末を混入したのち表面に着色し、かつ導電処理を施した着色磁性粒子で構成してなる電気泳動表示装置。」（特許請求の範囲、第１、２図）
　が記載されている。
（対比・判断）
　訂正発明と上記刊行物１〜５に記載の発明とを対比すると、上記刊行物１〜５には、訂正発明を特定する「両封入壁体には粒子状の磁性体を吸着する吸着部材を混入させて、封入壁体の外部から磁力を作用させることにより、非磁性体が分散している高粘度液体中の粒子状の磁性体を第１の封入壁体内面もしくは第２の封入壁体内面へ吸引し、上記第１の封入壁体内部もしくは第２の封入壁体内部の吸着部材へ粒子状の磁性体を吸着保持させることにより、第１の封入壁体側から視認される粒子状の磁性体と粒子状の非磁性体により記憶情報を視認可能に表示する」点についての記載も示唆もない。
　そして、訂正後の請求項１に係る発明は、上記点により「表示情報を形成することとなる粒子状の磁性体は第１の封入壁体内面側に吸着され、その他の磁性体は第２の封入壁体内面側に吸着されることとなるので、外部から視認される第１の封入壁体側からは、磁性体と非磁性体の色がくっきりと別れ、表意文字や図形等を表示情報として明瞭に表出することができるので、記憶情報に直接関連した表示情報を遊技者に可視表示することが可能となる。従って、従来の磁気カードの如くパンチ孔を開けたりマーキングを施したりするもののように、当該カード状情報記憶媒体の記憶内容の目安を表示するものに比べ、遊技者が知りたい当該カード状情報記憶媒体の記憶情報に直接関連した表示情報を正確に表示することが可能となる。しかも、磁性体と非磁性体との色を識別可能に異ならしめて、磁性体の吸引態様により記憶情報を表示するものであるから、両者の色を適宜に選定すれば、遊技者に与える視覚的効果を高めたり、表示情報の視認性を高めたりすることもできる。また、第１の封入壁体と第２の封入壁体には各々吸着部材を混入させてあるので、磁性体は何れか一方の封入壁体内面側に比較的安定して存在することとなり、表示情報の安定性が高まる」という明細書記載の効果を奏するものである。
　したがって、訂正発明は、上記刊行物１〜５に記載された発明から容易に発明をすることができたものであるとはいえないから、特許出願の際、独立して特許を受けることができない発明とすることはできない。
４．むすび
　以上のとおりであるから、上記訂正請求は特許法第１２０条の４第２項及び同条第３項で準用する第１２６条第２〜４項の規定に適合するので、当該訂正を認める。
（３）特許異議申立てについての判断
１．申立ての理由の概要
　異議申立人日本信号株式会社は、甲第１号証（特公昭５６−８５２号公報・・上記刊行物１）、甲第２号証（特開昭６１−２７３７８６号公報・・上記刊行物２）、甲第３号証（特開昭６１−２３３４２５号公報・・上記刊行物３）、甲第４号証（特公昭６２−５３３５９号公報・・上記刊行物４）及び甲第５号証（特開昭６０−１０１５８１号公報・・上記刊行物５）を提出して、本件請求項１〜３に係る発明は、特許法第２９条第１項第３号ないし同条第２項の規定に違反して特許されたものであるので取り消されるべきものであると主張している。
２．本件発明
　訂正後の請求項１に係る発明は、上記（２）３．独立特許要件を参照。
　なお、請求項２、３に係る発明は訂正請求により削除されたので異議の決定を要しないものとなった。
３．甲各号証
　上記甲第１〜５号証記載の発明については、上記（２）３．（引用刊行物）を参照。
４．対比・判断
　訂正後の請求項１に係る発明は、上記（２）３．（対比・判断）で示したものと同じ理由により、上記甲第２号証に記載された発明であるとも、または、上記甲第１〜５号証に記載された発明から容易に発明をすることができたものであるともいえない。
５．むすび
　以上のとおりであるから、特許異議の申し立ての理由及び証拠によっては、本件発明についての特許を取り消すことはできない。
　また、他に本件発明の特許を取り消すべき理由を発見しない。
  よって、結論のとおり決定する。
【異議決定日】
平成１２年４月２０日（２０００．４．２０）
【訂正の要旨】
１．訂正の要旨
ａ．特許請求の範囲の請求項１の「上記記憶情報表示手段は、透明部材からなる第１の封入壁体と該第１の封入壁体と対向する第２の封入壁体の間に形成した封入領域内に、粒子状の磁性体と粒子状の非磁性体とを各々所定量混入させると共に」を、特許請求の範囲の減縮を目的として「上記記憶情報表示手段は、透明部材からなる第１の封入壁体と該第１の封入壁体と対向する第２の封入壁体の間に形成した複数の小室からなる微少封入領域内に、粒子状の磁性体と粒子状の非磁性体とを各々所定量混入させると共に高粘度液体を満たし、」と訂正する。
ｂ．特許請求の範囲の請求項１の「両封入壁体には粒子状の磁性体を吸着する吸着部材を混入させて、封入壁体の外部から磁力を作用させることにより、封入されている粒子状の磁性体を第１の封入壁体内面もしくは第２の封入壁体内面へ吸引し、」を、特許請求の範囲の減縮を目的として「両封入壁体には粒子状の磁性体を吸着する吸着部材を混入させて、封入壁体の外部から磁力を作用させることにより、非磁性体が分散している高粘度液体中の粒子状の磁性体を第１の封入壁体内面もしくは第２の封入壁体内面へ吸引し、」と訂正する。
ｃ．特許請求の範囲の請求項２、３を、特許請求の範囲の減縮を目的として削除する。
ｄ．明細書の段落番号【００１０】の記載を、明りょうでない記載の釈明を目的として次のように訂正する。
「本発明は上記に鑑み提案されたもので、所定情報を記憶可能とすると共に、該記憶している情報を視認可能に表示する記憶情報表示手段を備えたカード状情報記憶媒体（例えばカード２４）において、上記記憶情報表示手段（例えば残高表示部２６）は、透明部材からなる第１の封入壁体（例えば樹脂膜３３）と該第１の封入壁体と対向する第２の封入壁体（例えば樹脂膜３３’）の間に形成した複数の小室（例えば、ハニカム状の格子２７・・・）からなる微少封入領域内に、粒子状の磁性体（例えば黒色の磁性体３２）と粒子状の非磁性体（例えば白色の酸化チタン３１）とを各々所定量混入させると共に高粘度液体（例えば、シリコーン油等の高粘度液体３０）を満たし、該磁性体と非磁性体とは色により各々識別可能に構成すると共に、両封入壁体には粒子状の磁性体を吸着する吸着部材（例えば微細な鉄粉３４）を混入させて、封入壁体の外部から磁力を作用させることにより、非磁性体が分散している高粘度液体中の粒子状の磁性体を第１の封入壁体内面もしくは第２の封入壁体内面へ吸引し、上記第１の封入壁体内部もしくは第２の封入壁体内部の吸着部材へ粒子状の磁性体を吸着保持させることにより、第１の封入壁体側から視認される粒子状の磁性体と粒子状の非磁性体により記憶情報を視認可能に表示するものとしたことを特徴とする。」
ｅ．明細書の段落番号【００１２】の記載を、明りょうでない記載の釈明を目的として削除する。
（５４）【発明の名称】
カード状情報記憶媒体
（５７）【特許請求の範囲】
　【請求項１】　所定情報を記憶可能とすると共に、該記憶している情報を視認可能に表示する記憶情報表示手段を備えたカード状情報記憶媒体において、
上記記憶情報表示手段は、透明部材からなる第１の封入壁体と該第１の封入壁体と対向する第２の封入壁体の間に形成した
複数の小室からなる微少
高粘度液体を満たし、
非磁性体が分散している高粘度液体中の
【発明の詳細な説明】
　【０００１】
　【発明の属する技術分野】本発明は、所定情報を記憶可能とすると共に、該記憶している情報を視認可能に表示する記憶情報表示手段を備えたカード状情報記憶媒体に関する。
　【０００２】
　【従来の技術】従来の遊技店では、遊技媒体貸出装置に貨幣を投入することにより球等の遊技媒体を貸し出していた。
　【０００３】また、遊技店においてカードを発行して、このカードにより、球等の遊技媒体を貸し出すカード式遊技媒体貸出装置もあった。すなわち、遊技媒体との交換を可能にする所定情報を記憶させたカード状情報記憶媒体を遊技店内等で販売するものとし、このカード状情報記憶媒体を購入した遊技者は、貨幣の代わりにカード状情報記憶媒体を用いて、カード式遊技媒体貸出装置から遊技媒体を借り受けることができるのである。
　【０００４】上記したカード式遊技媒体貸出装置を利用する場合、カード状記憶媒体の記憶情報の一つである有価価値情報を消費して遊技媒体との交換を行うようになっているので、有価価値情報が完全に消費されると、当該カードを用いた遊技媒体の貸出が不可能となる。そこで、遊技媒体との交換が可能な目安として、当該カードの残高に当る有価価値情報（当該カード状情報記憶媒体の記憶内容の一つ）をカード上で遊技者に可視的に表示するべく、穿孔器によりカード状情報記憶媒体に直接パンチ穴をあけたり、印字装置でカード状情報記憶媒体の所定位置にマーキングを施したりしていた。
　【０００５】
　【発明が解決しようとする課題】しかし、上記した従来のカード状情報記憶媒体における残高表示は、あくまでも目安となるものでしかなく、遊技媒体との交換が可能な有価価値情報の残りが指標となる領域（例えば１０００円分から２０００円分の範囲）の何れに属しているかを表示するものに過ぎない。そのため、目安となる領域が広過ぎる場合には、遊技者が満足できる情報を提示できないこととなる。
　【０００６】そこで、有価価値情報等のカード状情報記憶媒体における記憶情報をより具体的に表示する表示手段をカード状情報記憶媒体に設けることも考えられるが、セグメント式液晶表示器のような表示手段を各カード状情報記憶媒体に設けるものとした場合、従来の磁気カードのようにカード状情報記憶媒体を使い捨てにする訳にはゆかないため、カード状情報記憶媒体の維持管理等が非常に煩雑となるし、カード状情報記憶媒体が比較的厚いものとなってしまい、カード購入者にとってもカード状情報記憶媒体の取扱いが煩雑になってしまう。
　【０００７】なお、カード状情報記憶媒体に表示情報を直接印字するものも考えられるが、斯かる表示方法を採用した場合、遊技媒体の貸出を行う度に印字位置を変えて表示情報を印字しなければならない。すなわち、極めて狭小なカード状情報記憶媒体の表面では表示可能な部位が限定されているために、カード状情報記憶媒体に記憶されている有価価値情報が高額であった場合には、全ての有価価値情報を消費し尽くす前に印字可能な領域がなくなってしまう可能性もある。しかしながら、表示情報が判読不能なほどに細かいと、却って遊技者の便が悪くなってしまうために、表示可能な文字の大きさや貸出回数の最大値等を勘案すると、比較的少額の有価価値情報を記憶したカード状情報記憶媒体しか使用できない。
　【０００８】このように、少額のカード状記憶媒体しか発行しないものとした場合、比較的頻繁に多量の遊技媒体の貸出を受ける遊技者は、カード状情報記憶媒体を多数購入しなければならないし、カード状情報記憶媒体の有価価値情報が帰零する毎に新たなカード状記憶媒体を遊技媒体貸出装置に挿入しなければならず、遊技者の便が悪くなってしまう。しかも、カード状情報記憶媒体を使い捨てるものとした場合、少額のカード状記憶媒体が比較的頻繁に廃棄されることとなって、資源の有効利用といった観点からも望ましくない。
　【０００９】そこで、本発明は、従来の磁気カード等に比べてカード状情報記憶媒体の製造コストを著しく上げたり、取扱いを煩雑にしたりすることなく、カード状情報記憶媒体に記憶させた記憶情報に直接関連した表示情報を遊技者に可視表示できるカード状情報記憶媒体の提供を目的とするものである。
　【００１０】
　【課題を解決するための手段】本発明は上記に鑑み提案されたもので、所定情報を記憶可能とすると共に、該記憶している情報を視認可能に表示する記憶情報表示手段を備えたカード状情報記憶媒体（例えばカード２４）において、上記記憶情報表示手段（例えば残高表示部２６）は、透明部材からなる第１の封入壁体（例えば樹脂膜３３）と該第１の封入壁体と対向する第２の封入壁体（例えば樹脂膜３３′）の間に形成した
複数の小室（例えば、ハニカム状の格子２７…）からなる微少
高粘度液体（例えば、シリコーン油等の高粘度液体３０）を満たし、
非磁性体が分散している高粘度液体中の
　【００１１】斯くすれば、表示情報を形成することとなる粒子状の磁性体は第１の封入壁体内面側に吸着され、その他の磁性体は第２の封入壁体内面側に吸着されることとなるので、外部から視認される第１の封入壁体側からは、磁性体と非磁性体の色がくっきりと別れ、表意文字や図形等を表示情報として明瞭に表出することができる。また、第１の封入壁体と第２の封入壁体には各々吸着部材を混入させてあるので、磁性体は何れか一方の封入壁体内面側に比較的安定して存在することとなり、表示情報の安定性が高まる。
　【００１３】
　【発明の実施の形態】以下本発明を実施形態にもとづいて説明する。
　【００１４】本発明に係るカード状情報記憶媒体を用いる遊技媒体貸出機構の構成図が、図１に示してある。
　【００１５】統括機関で有価価値情報等を記憶させたカードたるカード状情報記憶媒体を発行し、このカードを小売店等の販売手段を通じて遊技者に販売する。遊技者は、遊技店においてこのカードを使用して、遊技媒体貸出装置から遊技媒体の貸し出しを受け遊技を行なう。遊技店は、遊技媒体貸出装置での売上データを統括機関に送る。統括機関では、この売上データに相当する売上代金を、金融機関を通して、または直接に遊技店に支払う。
　【００１６】図２以下は、上述した遊技媒体貸出機構をパチンコ遊技店に利用した場合について詳述する。
　【００１７】パチンコ遊技店には、図２で示すように、多数のパチンコ機１…を並べて設置するとともに、パチンコ機１とパチンコ機１との間に遊技媒体として使用する球を貸し出す遊技媒体貸出装置２を適宜間隔で配置し、上記遊技媒体貸出装置２と管理室内に設置した管理装置４とを店内伝送路５…を介して電気的に接続する。
　【００１８】このパチンコ遊技店内で使用するカードは、店内のカウンターや、店内の適宜な位置に設置されたカード発行機３により販売される。
　【００１９】また、管理装置４で演算蓄積された売上データ等は統括機関に送られるが、管理装置４を電話回線や専用回線等の店外伝送路６を介して統括機関であるカード発行センター７と電気的に接続して、データの伝送を行なってもよい。
　【００２０】カード発行機３は、図３及び図４で示すように、開閉可能な前面部８を有する箱体９の前面部８に貨幣投入口として紙幣挿入口１０を開設し、該紙幣挿入口１０の上方に複数の押釦から構成された購入金額選択操作部１１を、該購入金額選択操作部１１の上方に複数の７セグメント表示子から構成された投入金額表示器１２を設け、該投入金額表示器１２の横に稼働中を示す発行中表示器１３と発行中止を表示する発行中止表示器１４を並設し、これらの表示器１３、１４の下方にカード発行口１５、１５′を上下に開設するとともに、該カード発行口１５′の下方に釣銭返却口１６を開設する。
　【００２１】そして、箱体９の内部には、前面部８を閉じたときに上記紙幣挿入口１０に連通する位置に貨幣識別装置として紙幣識別装置１７を、カード発行口１５に連通する位置にカード発行装置１８を、カード発行口１５′に連通する位置にカード発行装置１８′を、また釣銭返却口１６に連通する位置に釣銭支払装置１９を各々配置し、底部には当該カード発行機３の台番号を設定する台番号設定器２０と、売上金額、カード発行枚数、カード残量、釣銭残量、紙幣オーバーフロー等の表示を行うモニタ装置２１と、上記各機器を必要に応じて制御する制御装置２２とを設け、該制御装置２２に上記投入金額表示器１２、発行中表示器１３、発行中止表示器１４、紙幣識別装置１７、カード発行装置１８、１８′、釣銭支払装置１９、台番号設定器２０、及び箱体９の上面に取り付けたアラーム表示器２３を電気的に接続する。
　【００２２】紙幣識別装置１７は、遊技者が紙幣挿入口１０から挿入した紙幣を取り入れて該紙幣の真偽を判別するとともに、紙幣の種類を判別して制御装置２２に信号を送り、不適当な紙幣と判断した場合は遊技者に返却する。一方、紙幣識別装置１７が適当な紙幣と判断するととともに、その紙幣の種類を判別すると、制御装置２２からの信号により投入金額表示器１２が当該紙幣の金額を表示する。例えば、紙幣挿入口１０に１万円札を挿入すると「１０，０００円」、５千円札の場合は「５，０００円」、千円札の場合は「１，０００円」と表示する。この状態で遊技者が購入金額選択操作部１１を操作することにより遊技に供する所望の金額を選択すると、カード発行機３はカード発行装置１８、または１８′を作動して購入金額選択操作部１１により選択した金額に相当する有価価値情報を記憶したカードを発行する。
　【００２３】尚、カード発行機３には、カード発行センター７で有価価値情報等を記憶させたカード２４を蓄積してあるが、カード発行機３自体で有価価値情報等を記憶させてもよい。また、カード発行機３はパチンコ遊技店内のみではなく他の場所、例えばタバコ販売店、スーパーマーケット等に設置してもよい。
　【００２４】前記した販売手段としてのカード発行機３により発行するカード２４は、購入金額に応じた有価価値情報等を記憶情報として記憶させたカード状記憶媒体であって、図５で示すように、紙、合成樹脂等から成る薄い板状であり、表面には長手方向のほぼ中央に金額表示部２５を設け、金額表示部２５の上方に残高表示部２６を設け、金額表示部２５の下方に磁気面等からなる情報記憶部２７を有し、該情報記憶部２７の下方にはセキュリティ記憶部２８を有し、またカード２４の挿入方向を示す矢印を表示してある。なお、カード２４の挿入方向を分り易くし、挿入方向の錯誤を防止するため、カード２４の先端の一方の角を予め斜めに切断しておいてもよい。
　【００２５】上記したカード２４の金額表示部２５には、購入時の情報記憶部２７に記憶させる金額、例えば「１００００円」を表示する。すなわち、この金額表示部２５が、カード状情報記憶媒体が記憶している情報の一つである有価価値情報としての金額情報を表示する記憶情報表示手段として機能するのである。この金額はカード２４の使用限度額を示すものである。情報記憶部２７には、有効金額および限度額が記憶されており、有効金額は、遊技媒体貸出装置２において残高として更新記録される。セキュリティ記憶部２８には、カード２４の偽造を防止するために、セキュリティデータを記憶する。
　【００２６】このセキュリティデータは光学センサー、磁気センサー等で読取ることができる方式でカードの図柄の中などに隠匿して記憶される。この場合、情報記憶部２７には、セキュリティ記憶部２８に記憶させたセキュリティデータと同一のデータを記憶し、遊技媒体貸出時に両データが比較され、両データが一致した場合にのみ適正なカードの使用と判断され、遊技媒体が貸し出される。さらに、遊技媒体貸出装置２での売上げをより明確に管理するために、情報記憶部２７に上記した情報に加えてカード番号を記憶してもよい。このカード番号は、カード毎に異なるカード固有の番号で構成し、遊技媒体貸出装置２でデータを管理装置４に送信するときに合わせて送信される。
　【００２７】本実施形態におけるカード２４の残高表示部２６には、遊技媒体貸出装置２において、カードの残高が適宜に更新表示される。この残高表示部２６は、図６（Ｂ）、図６（Ｃ）、に示すように、ハニカム状の複数の格子２９により分割した微小封入領域の中にシリコーン油等の経時変化の少ない高粘度液体３０を封入し、該高粘度液体中３０に有色の非磁性体としての酸化チタン３１および有色の磁性体としての磁性体３２を分散させてある。上記した高粘度液体３０を格子２９中に封入するには、格子２９の両端面にアクリル等からなる樹脂膜３３、３３′を展着する。なお、第１の封入壁体たる樹脂膜３３は遊技者から視認される側に、第２の封入壁体たる樹脂膜３３′はその反対側に配するものとしてある。また、樹脂膜３３、３３′中には吸着部材として機能する微細な鉄粉３４が分散させてある。
　【００２８】上記した残高表示部２６に残高を表示する方法を以下に説明する。図６（Ａ）において、表面Ａは遊技者に残高を表示するカード面で、アクリル等の透明なクリア樹脂膜３３からなり、裏面Ｂは不透明な樹脂膜３３′からなる。また、高粘度液体３０中に分散した磁性体３２は不透明な、例えば黒色であり、酸化チタン３１は白色である。そこで先ず、カードの裏面Ｂ全面に磁石を近付ける（ほぼ均等な磁界を作用させる）と、磁力により磁性体３２はＢ面に引き寄せられる。Ｂ面より磁石を離しても、Ｂ面に引き寄せられた磁性体３２は樹脂膜３３′中の着磁された鉄粉３４に吸着されると共に、高粘度液体３０の粘性に阻まれて磁性体３２が移動し難いので、高粘度液体３０中に分散することがない。このときＢ面全面には黒色の磁性体３２が吸着している。
　【００２９】一方、Ａ面側には磁性体３２が無く、高粘度液体３０中に白色の酸化チタン３１が遊離しているので、Ａ面側から見るとＢ面側の磁性体３２はこの酸化チタン３１により隠蔽され、Ａ面は白色となる。この状態が残高表示部２６に残高を表示しない初期状態である。
　【００３０】次に、Ａ面に数字等の形をした磁石を近づけると、磁石の磁力を受けた部分にのみ磁性体３２が引き寄せられる。Ａ面より磁石を離しても、Ａ面に引き寄せられた磁性体３２は樹脂膜３３中の鉄粉３４に吸着されると共に、高粘度液体３０の粘性に阻まれて磁性体３２が移動し難いので、高粘度液体３０中に分散することがない。このときＡ面では、磁石を近づけた部分のみに黒色の磁性体３２が吸着していて、文字が磁石の形に黒色で表示され、その他の部分は高粘度液体３０中に白色の酸化チタン３１が遊離しているので白色となる。
　【００３１】上記した動作を繰り返すことにより、残高表示部２６の表示を書き換えることができる。また、磁性体３２はＡ面またはＢ面の樹脂膜３３、３３′中の鉄粉３４に吸着していると共に、高粘度液体３０で満たされた封入領域内にあるので、表示情報の安定性が極めて良好となり、重力が作用する向きを変えたり通常の衝撃を受けたぐらいでは、磁性体３２が樹脂膜３３、３３′から離れることがなく、表示した文字等の形を維持することができる。
　【００３２】上記したハニカム状の格子２９は、磁性体３２を残高表示部２６に均一に分布させるとともに、表示を明瞭にするためのものである。すなわち、各格子２９…中に一定量の磁性体３２を封じ込めることにより、磁性体３２の片寄りを防ぐ。また、格子２９を磁力線を遮断する部材により構成すれば、磁石より発生する磁力線のうち、格子２９の垂直延長線上以外からくる磁力線を遮断することができるので、表示がより明確になる。
　【００３３】上記した残高表示部２６の初期化および書込みには図７で示す磁性体遊離装置３５および磁性体定着装置３６を使用する。磁性体遊離装置３５は鉄芯３７にコイル３８ａを巻き付けたもので、コイル３８ａに電流を流すことで、鉄芯３７を磁化する。磁性体定着装置３６は７セグメント３９の各セグメント３９′にコイル３８ｂを巻き付けたもので、コイル３８ｂに電流を流すとセグメント３９′が磁化する。したがって、電流を流すセグメント３９′の組合せにより、数字を表わすことができる。この磁性体定着装置３６は、表示に必要な桁数の数だけ設けてあるが、一つのみ設けて搬送路上でカードを移動させながら複数桁の印字や異なる位置への印字を行なってもよい。
　【００３４】カード発行装置１８は図８で示すように上下に対向させて設けたベルトコンベア等の搬送手段４０の一端をカード貯留部４１の出口に、搬送手段４０の他端をカード発行口４２に臨ませて、搬送手段４０のカード発行口４２近傍にカード検出器４３を設けてある。また、カード貯留部４１の出口にカード不足検出器４４とシャッター装置４５を設けてある。したがって、カード発行装置１８は、制御装置２２からのカード発行信号を受けると、シャッター装置４４が開いてカード貯留部４１内からカード２４を１枚取り出すとともに、モータ４６を作動して取り出したカード２４をカード発行口４２の方向へ搬送する。そして、カード検出器４３がカード２４の排出終了を検出すると、モータ４６が停止し、また釣銭支払装置１９が制御装置２２からの釣銭信号により作動し、挿入紙幣の金額から選択した金額を差し引いた金額を制御装置２２の演算制御部により演算し、この金額に対応する貨幣を釣銭返却口１６に払い出す。
　【００３５】カード発行機３自体で有価価値情報等を記憶させるようにすることも可能であり、斯くする場合に使用する書込機能付カード発行装置４７は、図９で示すように、上記したカード発行装置１８に、情報書込装置４８、磁性体遊離装置３５ａ、磁性体定着装置３６ｂ、印字装置５０、カード搬送検出器を付加したもので、カード発行装置１８と同一の装置は同一の符号を付して説明する。
　【００３６】上下に対向させて設けたベルトコンベア等の搬送手段４０の一端をカード貯留部４１の出口に、搬送手段４０の他端をカード発行口４２に臨ませ、搬送手段４０の途中には例えば磁気ヘッド等から成る情報書込装置４８、磁性体遊離装置３５ａ、磁性体定着装置３５ｂ、印字装置５０、及びカード搬送検出器を設けてある。また、カード貯留部４１の出口にカード不足検出器４４とシャッター装置４５を設けてある。したがって、カード発行装置４７は、制御装置２２からのカード発行信号を受けると、シャッター装置４５を開いてカード貯留部４１内からカード２４を１枚取り出すとともに、モータ４６を作動して取り出したカード２４をカード発行口４２の方向へ搬送する。
　【００３７】第１カード搬送検出器５１によりカード２４が正常に搬送されていることを検出し、第２カード搬送検出器５２がカード２４の先端を検出、即ちカードの情報記憶部２７が情報書込装置４８に到来したことを検出すると、制御装置２２からの信号により情報書込装置４８が店コード、年月日データ、セキュリティデータ及びカード識別情報を情報記憶部２７に磁気作用により書き込む。そして、第３カード搬送検出器５３がカード２４を検出すると、モータ４６が一時停止し、印字装置５０が制御装置２２からの印字信号によりセキュリティ記憶部２８にカード発行年月日及びセキュリティデータを印字する。なお、セキュリティデータは、年月日の文字中などに隠匿されて印刷される。
　【００３８】この印字行程が終了するとモータ４６が作動してカード２４を搬送し、カード検出器４３がカード２４を検出するとモータ４６が再度停止し、磁性体遊離装置３５ａにより残高表示部を初期状態にした後、磁性体定着装置３６ｂにより発行時の金額を残高表示部２６に表示するとともに、印字装置５０が発行時の金額を金額表示部２５に表示する。
　【００３９】この様にして各種の情報を書込むとともに、発行時の金額等を印字したカード２４をカード発行口４２に排出する。そして、カード検出器４３がカードの排出終了を検出すると、モータ４６が停止し、また釣銭支払装置１９が制御装置２２からの釣銭信号により作動し、挿入紙幣の金額から選択した金額を差し引いた金額を制御装置２２の演算制御部により演算し、この金額に対応する貨幣を釣銭返却口１６に払い出す。
　【００４０】また、カード発行装置１８および書込機能付カード発行装置４７において、カード不足検出器４４がカード貯留部４１内のカード２４の不足を検出すると、カード不足検出器４４からの信号を受信した制御装置２２がモニタ装置２１にカード２４が不足したことを表示するとともに、アラーム表示器２３を点灯して係員に知らせ、また発行中表示器１３を消灯すると同時に発行中止表示器１４を点灯して遊技者にカード発行中止を可視表示する。また、釣銭が不足したり、或は遊技者が挿入した紙幣を貯留しておく紙幣貯留部が充満した場合も上記と同様にして、カードの発行を中止する。
　【００４１】尚、上記の例では、カード発行機３内にカード発行装置１８を２台設け、金額の異なる２種類のカード例えば「１０００円」と「３０００円」とを充填し、遊技者が操作した購入金額選択操作部１１の選択により、所望の金額に相当するカードを選択的に排出するようにしたが、発行装置１８は３台以上の複数設け、選択できる金額を増やしてもよいし、図柄の違った複数のカードをそれぞれ充填して、所望のカードを選択できるようにしてもよい。また、発行装置１８は１台のみで、一種類のカードを充填するようにしてもよい。さらに、書込機能付カード発行装置４７にあっては、１台で複数の金額を書き込めるので、この場合も書込機能付カード発行装置４７は１台のみでもよい。
　【００４２】上記したカード発行機３の管理はパチンコ遊技店に行なわせ、パチンコ遊技店がカードを購入して、その代金をカード発行センター７へ支払う。また、カード発行機３自体で有価価値情報等を記憶させる場合には、カード発行機３をカード発行センター７で管理し、カードの補充、代金回収等もカード発行センター７で行なうことが望ましい。
　【００４３】管理装置４は、図１０および図１１で示すように、中央処理装置５４と、主記憶装置５５と、補助記憶装置５６と、カレンダ５７と、キーボード５８と、ブラウン管等よりなるディスプレイ装置５９と、プリンタ６０と、第１伝送制御装置６１と、第２伝送制御装置６２とからなり、これらを電気的に接続してある。また、管理装置４へは、補助電源装置６３、電源装置６４を経由して電源が供給される。
　【００４４】中央処理装置５４は、管理装置４内の各制御装置を統括的に管理するための装置であって、各装置間のデータの受け渡しや、データの演算処理などを行なう。
　【００４５】主記憶装置５５には、各遊技媒体貸出装置２の売上データおよび総売上データを記憶したファイルを有するとともに、電源をオンにしたときに中央処理装置５４の処理プログラムが記憶される。
　【００４６】補助記憶装置５６は、ハードディスク等よりなり、中央処理装置５４の処理プログラムやカード発行センター７が各遊技店を識別するための店舗番号等の固有データを記憶させるとともに、営業終了時に当日の売上データを記憶する。
　【００４７】カレンダ５７は、年月日、時間等を設定するためのものであり、年月日情報は売上データを補助記憶装置５６に記憶するときや、カード発行センター７に売上データを送信する際に使用され、時間データは遊技媒体貸出装置２からの売上情報を主記憶装置５５に記憶する際に使用される。
　【００４８】キーボード５８は、中央処理装置５４に対する指令盤であり、図１２に示すように、盤面上にキースイッチ６５、開店スイッチ６６、閉店スイッチ６７、売上スイッチ６８、印字スイッチ６９、送信スイッチ７０、ファイルスイッチ７１、テンキー７２等が設けてある。
　【００４９】キースイッチ６５は、開店スイッチ６６および閉店スイッチ６７の誤操作を防止するためのスイッチで、スイッチをオンにしないと各スイッチが作動しないようになっている。
　【００５０】開店スイッチ６６は、遊技媒体貸出装置２におけるカードの受付を開始させるためのスイッチで、このスイッチを操作することにより、遊技媒体貸出装置２に開始指令が送信される。
　【００５１】閉店スイッチ６７は、遊技媒体貸出装置２におけるカードの受付を終了させるためのスイッチで、このスイッチを操作することにより、遊技媒体貸出装置２に終了指令が送信される。
　【００５２】売上スイッチ６８は、遊技媒体貸出装置２の総売上や個々の遊技媒体貸出装置２における売上をディスプレイ装置５９に表示させるための指令スイッチである。
　【００５３】印字スイッチ６９は、遊技媒体貸出装置２の総売上や個々の遊技媒体貸出装置２における売上をプリンタ６０に印字させるための指令スイッチである。
　【００５４】送信スイッチ７０は、総売上データをカード発行センター７に送信するための指令スイッチであるが、カード発行センター７からの指令によって自動的に総売上データを送信させる場合には、この送信スイッチ７０は不要となる。
　【００５５】ファイルスイッチ７１は、遊技媒体貸出装置２の売上データを補助記憶装置５６に記憶させるためのスイッチである。
　【００５６】テンキー７２は、特定の遊技媒体貸出装置２の売上を知りたい場合等に、遊技媒体貸出装置２の台番号等を入力するためのスイッチである。
　【００５７】プリンタ６０は、上記した遊技媒体貸出装置２における売上等を印字するための装置である。
　【００５８】第１伝送制御装置６１は、遊技店内の伝送路５上における送受信権の確立および送受信データの規格化をし、中央処理装置５４が必要とするデータの送受信管理を行なうための装置である。
　【００５９】第２伝送制御装置６２は、遊技店とカード発行センター７との電話回線６や専用回線上における送受信権の確立および送受信データの規格化をし、中央処理装置５４が必要とするデータの送受信管理を行なうための装置である。
　【００６０】電源装置６４は、各制御装置へ電源を供給するための装置であり、補助電源装置６３は停電時におけるバックアップ用の電源で、主記憶装置５５に記憶された売上データ等が停電により消失するのを防ぐために設けた装置である。
　【００６１】上記した管理装置４における処理のフローチャートが図１３に示してある。
　【００６２】管理装置４において電源が投入されると、売上ファイルがクリアされ、カード発行センター７からの暗号を受信して、この暗号を記憶し、開店スイッチ６６がオンになると遊技媒体貸出装置２へ開店指令信号、暗号を送信して、売上データの受信待ちの状態となる。売上データを受信すると、売上ファイル上の該当台番号を検索し、台売上ファイルに受信した金額を加算し、カレンダ５７より時刻を読み出し、時刻、受信したカード番号、受信した金額を記憶する。閉店スイッチ６７がオンになると、遊技媒体貸出装置２へ閉店指令信号を送信する。送信スイッチ７０がオンになると総売上を演算し、カード発行センター７から送られてきた暗号により送信データを加工し、カード発行センター７に売上データを送信する。ファイルスイッチ７１がオンになると、年月日情報と売上ファイルを補助記憶装置５６に記憶させ、管理装置４での処理が終了する。
　【００６３】図１４に示す遊技媒体貸出装置２は、パチンコ機１とパチンコ機１との間に配置するもので、箱体７３の前面部７４にカード読み書き装置７５のカード挿入口７６を設けるとともに、パイロットランプ７７、アラーム表示器７８、金額表示器７９、購入選択スイッチ８０、球貸口８１を設け、内部にはパチンコ機列上方の球補給樋から分岐した球供給樋８２の上部に供給球検出器８３を設け、球供給樋８２の下端に球排出装置８４を設け、該球排出装置８４の球流下樋８５の出口を上記球貸口８１に接続し、上記カード読み書き装置７５、アラーム表示器７８、金額表示器７９、購入選択スイッチ８０、供給球検出器８３、及び球排出装置８４を制御装置８６に電気的に接続し、該制御装置８６を店内伝送路５を介して管理装置４に接続してある。
　【００６４】パイロットランプ７７は、カード２４を受け付けて、遊技媒体の貸し出しが可能なことを表示し、供給球検出器８３に球がないときや、管理装置４との接続が確認されないときに消灯し、カード２４の受け付けを停止する。アラーム表示器７８は、カード２４のセキュリティ記憶部２８と情報記憶部２７とのセキュリティデータが不一致の場合等、受け付けカード２４が不適正であることを表示する。金額表示器７９は、受け付けカード２４の残高を表示する。購入選択スイッチ８０は、購入金額を指定するためのスイッチで、本例においては１００円、２００円、５００円のスイッチから構成されており、指定金額に相当する遊技媒体が貸し出される。尚、この購入選択スイッチ８０を省略して、１回のカード挿入で予め決められた金額、例えば２００円に相当する遊技媒体を貸し出すようにしてもよい。
　【００６５】カード読み書き装置７５は、カード２４に記憶された磁気データの再生および更新、セキュリティデータの読み出し、残金のマーキングをするための装置で、図１５で示すように、カード挿入口７６から内部に向ってカード搬送路８７を設け、該搬送路上８７に搬送モータ８８で駆動する第１搬送ローラ８９、第２搬送ローラ９０を設け、第１搬送ローラ８９をカード挿入口７６に臨ませ、第１搬送ローラ８９のカード挿入口７６側に挿入検出センサー９１を設け、第１搬送ローラ８９と第２搬送ローラ９０の途中にセキュリティ読取りセンサー９２、リードライトヘッド９３、マーキング装置である磁性体遊離装置３５ｂおよび磁性体定着装置３６ｂを設け、カード搬送路８７の終端部近傍に反転位置検出センサー９６を設け、搬送モータ８８の軸９７には、搬送モータ８８と同時に回転するエンコーダー９８を装着し、該エンコーダ９８に位置決めセンサー９９を臨ませてあり、上記搬送モータ８８、挿入検出センサー９１、セキュリティ読取りセンサー９２、リードライトヘッド９３、磁性体遊離装置３５ｂおよび磁性体定着装置３６ｂを制御装置８６に接続してある。
　【００６６】搬送モータ８８は、カード２４を搬送する搬送ローラを駆動するための正逆回転可能なモータで、第１、第２搬送ローラ８９、９０に搬送ベルト１００を介して連結されている。
　【００６７】挿入検出センサー９１は、カード２４の挿入を検出して、搬送モータ８８を正転駆動するための検出器であって、カード排出時には、このセンサー位置にカード２４がなくなったときに、搬送モータ８８を停止させる。
　【００６８】セキュリティ読取りセンサー９２は、カード２４のセキュリティ記憶部２８に隠匿されたデータを読取るためのセンサーであって、セキュリティ記憶部２８の記憶方法に応じた、光学センサー、磁気センサー等からなる。
　【００６９】リードライトヘッド９３は、カード２４の記憶情報部２７に記憶された情報を読取り、また有価価値情報等を更新するためのヘッドであり、磁気ヘッド等よりなる。
　【００７０】磁性体遊離装置３５ｂおよび磁性体定着装置３６ｂの構成は、前記した書込機能付カード発行装置４７に使用したものと同じである。
　【００７１】エンコーダ９８は、カード２４の情報記憶部２７のデータの読取り位置と更新位置、セキュリティデータの読取り位置、残高表示部２６へのマーキング位置等を決定するための位置決め信号を生成するための装置であって、スリット円盤等よりなる。
　【００７２】位置決めセンサー９９は、このエンコーダー９８の位置決め信号を検出して、各読取り位置等を決定するセンサーであって、エンコーダ９８がスリット盤からなる場合には、スリット開閉状況を光学的に検出してこれをパルス列に変換して制御装置８６へ送出する。
　【００７３】反転位置検出センサー９６は、カード２４の停止位置、搬送モータ８８の逆転位置を決定するためのセンサーで、カード２４の先端等を検出して逆転位置を決定するためのセンサーである。
　【００７４】球排出装置は、図１６、図１７で示すように、球排出ソレノイド１０１の駆動により球供給樋８２内に出没して球の流下を規制する球ストッパ部１０２と、通過する球を１個宛検出する球排出センサー１０３を備え、上記球排出ソレノイド１０１及び球排出センサー１０３を制御装置８６に電気的に接続してある。
　【００７５】図１８に上記した遊技媒体貸出装置２の制御装置８６のブロック図が示してある。この制御装置８６は、演算制御回路１０４、ＲＯＭ１０５、ＲＡＭ１０６、伝送制御回路１０７を有するＣＰＵからなり、このＣＰＵにカード読み書き装置７５、台番号設定スイッチ１０８、ドライバ１０９、レシーバ１１０等が接続され、これらを制御している。また、ＣＰＵには電源回路１１１を介して電源が供給れている。
　【００７６】ドライバ１０９は、ＣＰＵからの制御信号で、パイロットランプ７７、アラーム表示器７８、金額表示器７９、球排出ソレノイド１０１等を駆動させる。
　【００７７】レシーバ１１０は、球排出センサー１０３、供給球検出器８３、購入選択スイッチ８０、１００円に対する貸球数を設定する球レート設定スイッチ１１２等からの信号をＣＰＵに送るためのものである。尚、購入選択スイッチ８０を省略した場合には、カード挿入時に同様の信号が送出され、例えば２００円分の球が貸し出される。
　【００７８】台番号設定スイッチ１０８は、遊技媒体貸出装置２の伝送アドレスを設定するためのスイッチで、送信データには必ずこのアドレスデータが付加される。
　【００７９】伝送制御回路１０７には、レベル変換回路１１３が接続されていて、このレベル変換回路１１３で受信データの波形整形、送信データ信号のドライブ能力を上げるための信号レベルを変換する。レベル変換回路１１３には、分岐回路１１４が接続されていて、送信信号と受信信号の分離および結合をはかっている。また、分岐回路１１４には、伝送路用コネクタ端子１１５が設けられていて、コネクタにより伝送路と結ばれている。
　【００８０】上記した遊技媒体貸出装置２での処理のフローチャートを、図１９に示す。
　【００８１】遊技媒体貸出装置２の電源がオンになると、ＲＡＭ１０６がクリアされ、Ｉ／Ｏポートが初期化され、台番号設定スイッチ１０８からの台番号、球レート設定スイッチ１１２からの球レートを読み込む。管理装置４からの開店指令信号を受信すると、暗号を記憶し、供給球の有無を確認して、供給球が所定数以上蓄積されている場合にパイロットランプ７７を点灯させてカードの受付が可能なことを遊技者に表示し、カード挿入待ちの状態になる。
　【００８２】遊技者がカード２４をカード挿入口に挿入すると、挿入検出サンサー９１がカード２４の先端を検出して制御装置８６に信号を送り、制御装置８６が搬送モータ８８を作動させてカード２４を取り入れ、リードライトヘッド９３で情報記憶部２７のデータを読み取り、セキュリティ読取りセンサー９２でセキュリティ記憶部２８のセキュリティデータを読み込み、情報記憶部２７とセキュリティ記憶部２８のセキュリティデータが一致していて、カード２４の残高がある場合に、金額表示器７９に金額を表示し、球排出装置８４での処理に移る。
　【００８３】ここで、セキュリティデータが一致しなかった場合、カード２４の残高がなかった場合には、アラーム表示器７８を表示させて遊技者に警告を与えるとともに、搬送モータ８８を作動させてカード２４を排出し、遊技者がカード２４を受け取ると、アラーム表示器７８の表示をクリアし、カード挿入待ちの状態に戻る。
　【００８４】購入選択スイッチ８０が操作され、指定された金額の残高が有る場合は、球排出動作に移る。球排出動作では、球レートにより指定金額に応じた排出球数を演算し、球排出ソレノイド１０１が励磁すると、球ストッパ部１０２が樋内の球流路から退き、樋内の球が流下するとともに、球排出センサー１０３が通過する球を検出して制御装置８６に信号を送る。
　【００８５】制御装置８６は、球排出センサー１０３からの信号を計数し、所定数の球が通過したことを計数すると球排出ソレノイド１０１を消磁して球の流下を停止する。したがって、所定数の球、例えば１００円分２５個の球が球貸口８１に排出される。この様にして遊技者が所望した数の球が球貸口８１に排出されると、制御装置８６の演算部が先に金額表示器７９に表示した金額から球貸口８１に排出した球に相当する金額を減算し、残高を金額表示器７９に可視表示する。なお、遊技者が購入選択スイッチ８０を操作した時点で演算して残高表示してもよい。
　【００８６】そして、遊技者が購入スイッチ８０を操作することによりカード２４の有価金額の範囲内で所望数の球を借り出すと、反転位置検出センサー９６の反転信号により反転されてきたカード２４に、カード読み書き装置７５のリードライトヘッド９３で残高が記憶され、磁性体遊離装置３５ｂで残高表示部を初期化した後、磁性体定着装置３６ｂで残高をマーキングする。
　【００８７】球排出装置８４での処理が終了すると、金額表示器７９の表示をクリアし、暗号によって、台番号、カードナンバー、購入金額等のデータを加工し、売上データとして管理装置４へ送信する。その後、管理装置４から閉店指令信号を受信するとパイロットランプ７７を消灯し、カード２４を受け付けないことを遊技者に示し、遊技媒体貸出装置２での処理を終了する。
　【００８８】図２０に管理装置４で管理する売上データの一例が示してある。
　【００８９】遊技媒体貸出装置２において、遊技者が購入選択スイッチ８０を操作すると、遊技媒体貸出装置２の台番号、挿入されたカードのカード番号、購入金額が管理装置４に送信される。これらデータは管理装置４において、遊技媒体貸出装置一台毎のファイルとして記憶される。この遊技媒体貸出装置一台毎のファイルは、購入時刻、カード番号、購入金額を１回分の購入データとする１日分のデータから構成され、購入金額の総計を台売上データとして記憶する。管理装置４は、この遊技媒体貸出装置一台毎のファイルを集合して遊技店の売上ファイルとし、台売上データの総計を総売上データとして記憶する。
　【００９０】カード発行センター７へは、上記したファイルのうち、店番号と総売上ファイルを送信して、売掛金の精算を要求する。
　【００９１】また、カード発行センター７へ送信するファイルは、上記した店番号と総売上ファイルの他に、各遊技媒体貸出装置毎の台番号と台売上データを同時に送信したり、売上ファイル全体を送信してもよい。このようにすると、カード発行センター７では各遊技店における詳細な売上データを把握することができ、信頼性も向上する。
　【００９２】また、店内伝送路５上または電話回線や専用回線上での売上データの改竄を防止するため、カード発行センター７からの暗号により送信データのビットを並べ代える等して、売上データを加工すれば、遊技店におけるデータの改竄を予防することができる。この暗号を日毎に変更すれば、一層効果的である。また、上記の例においては、売上データを演算蓄積する管理装置４を遊技店に設けるものとしたが、例えば、遊技店内の諸設備を統括的に管理すると共に各遊技機の遊技情報等を収集する所謂ホールコンピュータにこの機能を付加するようにしても良い。
　【００９３】上記した各例においては、パチンコ店において使用する球を貸し出す遊技媒体貸出装置について説明したが、遊技媒体としては、球に限らず、遊技用コインなどを貸し出すようにしてもよい。また、本実施形態において使用するカードは、プリペイドカードを使用する機構ならばどのなものにも使用でき、例えば、カード式の封入球式パチンコ機、自動販売機等にも使用することができる。
　【００９４】
　【発明の効果】以上説明したように、本発明に係るカード状情報記憶媒体によれば、表示情報を形成することとなる粒子状の磁性体は第１の封入壁体内面側に吸着され、その他の磁性体は第２の封入壁体内面側に吸着されることとなるので、外部から視認される第１の封入壁体側からは、磁性体と非磁性体の色がくっきりと別れ、表意文字や図形等を表示情報として明瞭に表出することができるので、記憶情報に直接関連した表示情報を遊技者に可視表示することが可能となる。
　【００９５】従って、従来の磁気カードの如くパンチ孔を開けたりマーキングを施したりするもののように、当該カード状情報記憶媒体の記憶内容の目安を表示するものに比べ、遊技者が知りたい当該カード状情報記憶媒体の記憶情報に直接関連した表示情報を正確に表示することが可能となる。しかも、磁性体と非磁性体との色を識別可能に異ならしめて、磁性体の吸引態様により記憶情報を表示するものであるから、両者の色を適宜に選定すれば、遊技者に与える視覚的効果を高めたり、表示情報の視認性を高めたりすることもできる。
　【００９６】また、第１の封入壁体と第２の封入壁体には各々吸着部材を混入させてあるので、磁性体は何れか一方の封入壁体内面側に比較的安定して存在することとなり、表示情報の安定性が高まるという効果もある。
【図面の簡単な説明】
　【図１】遊技媒体貸出機構の構成図である。
　【図２】遊技媒体貸出機構をパチンコ遊技店に実施した場合の構成図である。
　【図３】カード発行機の斜視図である。
　【図４】カード発行機の内部を示す斜視図である。
　【図５】カードの正面図である。
　【図６】
（Ａ）は残高表示部の断面図である。
（Ｂ）は残高表示部の構造を示す平面図である。
（Ｃ）は（Ｂ）の横断面図である。
　【図７】磁性体遊離装置および磁性体定着装置の概略構成図である。
　【図８】カード発行装置の内部を示す側面図である。
　【図９】書込機能付カード発行装置の内部を示す側面図である。
　【図１０】管理装置の構成図である。
　【図１１】管理装置のブロック図である。
　【図１２】キーボードの構成図である。
　【図１３】管理装置における処理のフローチャートである。
　【図１４】遊技媒体貸出装置の分解斜視図である。
　【図１５】カード読み書き装置の内部を示す側面図である。
　【図１６】球排出装置の側面図である。
　【図１７】球排出装置の断面図である。
　【図１８】遊技媒体貸出装置の制御装置のブロック図である。
　【図１９】遊技媒体貸出装置における処理のフローチャートである。
　【図２０】売上ファイルの説明図である。
　【符号の説明】
２４　　カード
２６　　残高表示部
３０　　高粘度液体
３１　　酸化チタン
３２　　黒色の磁性体
３１　　白色の酸化チタン
３３　　透明なクリア樹脂膜
３３′　不透明な樹脂膜
３４　　微細な鉄粉